(57)【特許請求の範囲】
【請求項１】
ワイヤーの前端部を内部に固定するケーシングと、前記ケーシング内に収容し前記ワイヤーの後方の部分を貫通させるために長手方向の中心軸に沿って伸長する通路を形成する中空の円筒体と、前記円筒体から前記ワイヤーの脱出を阻止するためのヘッドとから成り、前記ワイヤーの後方の端部を挿入することによって前記ワイヤーを把持し、前記円筒体から前記ヘッドを離隔するように移動しなければ、前記ワイヤーを脱出する方向に移動することができないようにするロック機構と、前記ロック機構の前記円筒体から前記ヘッドを離隔するための駆動機構と、前記駆動機構を作動する複数本のピンを有するキー装置とから成るワイヤーロック装置。
【請求項２】
前記ケーシングを第一の蓋体と第二の蓋体とからなるものとし、前記円筒体とヘッドとから成るロック機構と前記駆動機構とを取り付けた後、前記両蓋体を接着して密封して成る請求項１に記載のワイヤーロック装置。
【請求項３】
前記キー装置を台座と、前記台座から突出し前記駆動機構の脚部を作動する長いピンと、前記駆動機構のカム面を作動する短いピンとから成るものとした請求項１に記載のワイヤーロック装置。
【請求項４】
ワイヤーの前端部を内部に固定するケーシングと、前記ケーシング内に収容し前記ワイヤーの後方の部分を貫通させるために長手方向の中心軸に沿って伸長する通路を形成する中空の円筒体と、前記円筒体から前記ワイヤーの脱出を阻止するためのヘッドとから成り、前記ワイヤーの後方の端部を挿入することによって前記ワイヤーを把持し、前記円筒体から前記ヘッドを離隔するように移動しなければ、前記ワイヤーを脱出する方向に移動することができないようにするロック機構と、前記ロック機構の前記円筒体から前記ヘッドを離隔するための駆動機構と、前記駆動機構を作動する複数本のピンを有するキー装置と、前記キー装置によって前記駆動機構を作動するカム板体とから成るワイヤーロック装置。
【請求項５】
前記駆動機構を板体から構成し前記キー装置と協働する複数個の脚部材を具備する枠部材と、前記脚部材と協働するカム板体とから成るものとした請求項４に記載のワイヤーロック装置。
【発明の詳細な説明】
【０００１】
【発明の属する技術分野】
この発明はワイヤーロック装置、より詳細に述べると、細いワイヤーを使用して施錠する装置に関する。
【０００２】
【発明が解決しようとする課題】
この発明は細いワイヤーあるいは金属製のピン等を利用して、物体に取り付けて施錠する装置として、構造が簡単で、小型に構成することができる装置を提供することにある。
【０００３】
【課題を解決するための手段】
この目的を達成するために、この発明のワイヤーロック装置は、細長いワイヤーの一端を固定するケーシングと、前記ケーシング内に収容する中空の円筒体とヘッドとから成り前記ワイヤーの他端を挿入することによってワイヤーを把持し、前記円筒体から前記ヘッドを離隔するように移動しなければ前記ロック機構から前記ワイヤーを脱出する方向に移動することができないようにするロック機構と、前記ロック機構の前記円筒体から前記ヘッドを離隔するための駆動機構と、前記駆動機構を作動する複数本のピンを有するキー装置とから成る。
【０００４】
【実施例】
【第一の実施態様】
この発明の好ましい実施態様を図について詳細に説明する。図１はこの発明の第一の実施態様のワイヤーロック装置１０を示すもので、細長いワイヤー１１の前端部を内部に固定するケーシング１３と、前記ケーシング１３内に収容し前記ワイヤー１１の後方の部分を貫通させるために長手方向の中心軸に沿って伸長する通路を形成する中空の円筒体１８と、前記円筒体１８から前記ワイヤーの脱出を阻止するためのヘッド２０とから成り、前記ワイヤー１８の後方の端部を挿入することによって前記ワイヤー１１を把持し、前記円筒体１８から前記ヘッド２０を離隔するように移動しなければ、前記ワイヤーを脱出する方向に移動することができないようにするロック機構１２と、前記ロック機構１２の前記円筒体１８から前記ヘッド２０を離隔するための駆動機構２８と、前記駆動機構２８を作動する複数本のピン３５，３６を有するキー装置１４（図２）とから成るものである。
【０００５】
ケーシング１３は第一の蓋体１３ａ（図１）と第二の蓋体１３ｂ（図４）とから構成され、第一の蓋体１３ａと第二の蓋体１３ｂには内方に突出する周壁１５で囲繞してあって、ケーシング１３の内部にロック機構１２およびその他の諸機構を収容した後、第一と第二の蓋体１３ａと１３ｂとの周壁１５を接着して一体にする。
【０００６】
ワイヤー１１の一端をケーシング１３に固定するために、ワイヤー１１の一方の端部に適当な形状の固定部材１６が取付けてあり、この固定部材１６をケーシング１３の周壁１５に形成した開口１７を経て外部に伸長するようにしてある。
【０００７】
ロック機構１２は、それ自体は一般に公知の構造のもので、これを簡単に説明すると、図５に示すように、中空の円筒体１８と中空の軸１９と一体にしたヘッド２０とから成っている。
【０００８】
円筒体１８には一方の端部にワイヤー１１を挿入する第一の開口２１ａが設けてあり、その他方の端部には軸１９を挿入する第二の開口２１ｂが形成してある。
【０００９】
円筒体１８の内壁は第一の開口２１ａの側から第二の開口２１ｂに向けて末広型に形成したテーパー壁２２に形成してある。
【００１０】
軸１９およびヘッド２０にはワイヤー１１を貫通する通路が形成してあり、軸１９の円筒体１８内の端部は突出部２３にしてあって、突出部２３と第二の開口２１ｂの内壁との間にコイルバネ２４が配置してあって、図３に示すように、常時、ロック機構１２のヘッド２０を円筒体１８に近接するようにしてある。
【００１１】
円筒体１８の内部には複数個のボール２５が入れてあって、軸１９の突出部２３と円筒体１８の第一の開口２１ａ側の内壁との間に、ヘッド２０がコイルバネ２４によって、ボール２５を軸１９の突出部２３によって第一の開口２１ａ側の内壁の方向に押しつける。
【００１２】
ロック機構１２は、以上に述べたように構成してあるので、円筒体１８の第一の開口２１ａにワイヤー１１を挿入して軸１９およびヘッド２０の通路内を通過させると、円筒体１８の第一の開口２１ａ側の内壁と軸部１９の突出部２３との間のワイヤー１１の部分は、テーパー壁２２とボール２５との作用によって締め付けられて円筒体１８内に固定されて、挿入方向（図３の矢印Ｒの方向）には自由に移動することができるが、それと反対の方向には移動することができないようになる。すなわち、ロック機構１２に一端をケーシング１３に固定したワイヤー１１の自由端をケーシングの周壁に形成したワイヤー挿入口２６より挿入すると、挿入されたワイヤー１１をロック機構１２から抜き出すことができなくなる。
【００１３】
ロック機構１２に挿入されたワイヤー１１をロック機構１２内の所定の部位に移動してワイヤー１１の長さを調節するとか、あるいはロック機構１２から抜き出すためには、ヘッド２０を図３の矢印Ｒの方向に僅かに移動させて、円筒体１８とヘッド２０との間隔を広げると、ワイヤー１１がボール２５の拘束から解除されて自由になるので、ロック機構１２から矢印Ｒとは反対の方向に抜くことができる。
【００１４】
この発明の第一の実施態様のワイヤーロック装置１０においては、ケーシング１３の上部に取付けたロック機構１２はキー装置１４によって作動される駆動部材２８と係合している。
【００１５】
駆動部材２８は、図５と図６とに示すように、ケーシングの第一の蓋体１３ａの内面に沿って滑動できるように載置されるベース部２９と、ベース部２９の両端から直立する第一の突起部３０と第二の突起部３１とから成るほぼコの字状の部材である。
【００１６】
第一の突起部３０はロック機構１２の円筒体１８とヘッド２０との間に挿入されて、後述するように、駆動部材２８をキー装置１４によって作動することによって、ヘッド２０を図３の矢印Ｒの方向に移動させる。
【００１７】
第二の突起部３１の内面は、図６に示すように、ケーシング１３の第一の蓋体１３ａの側から第二の蓋体１３ｂの側に向けて末広形に傾斜するカム面３２に形成してあり、このカム面３２の広幅側の下面から細い脚部３３が伸長していて、ロック機構１２のヘッド２０の外面に接触させ、この脚部３３をヘッド２０の外面から離脱させなければ、ヘッド２０を移動することができないストッパとしてある。
【００１８】
キー装置１４は、図２に示すように、台座３４とその一方の面から突出する長いピン３５と短いピン３６とからなるもので、ケーシング１３の第二の蓋体１３ｂには、キー装置１４の長いピン３５を挿入する第一のカギ孔３７ａと、短いピン３６を挿入する第二のカギ孔３７ｂとが形成してある。
【００１９】
長いピン３５をカギ孔３７ａに挿入して押圧すると、ピン３５の先端がロック機構１２のヘッド２０を押さえている駆動部材２８の脚部３３の先端部３３ａを第一の蓋体１３ａの方向に押すので、脚部３３は偏向してヘッド２０からはずれて自由に移動可能にする。なお、脚部３３の移動を容易にするために、ケーシング１３の第一の蓋体１３ａの該当位置に、凹所もしくは開口（図に示してない）を設けることができる。
【００２０】
次いで、短いピン３６の先端が駆動部材２８のカム面３２と接触し、ピンを押圧することによってカム面３２の傾斜するカム面３２が、図３の矢印Ｒの方向に移動することによって、ロック機構１２の円筒体１８とヘッド２０との間に挿入されている駆動部材２８の第一の突起部３０によって、ヘッド部２０を矢印Ｒの方向に移動し、ロック機構１２に固定されていたワイヤー１１を自由にする。
【００２１】
なお、キー装置１４の台座３４には、図２に示すように、下端からピン３５、３６と平行に前方に突出するガイド板３８を一体に設けることが好ましい。このようにすることによって、ガイド板３８により、ピン３５，３６をそれぞれのカギ孔３７ａ、３７ｂに的確に挿入させることができる。
【００２２】
【第一の実施態様の作用と効果】
この発明のワイヤーロック装置１０は、以上に詳しく説明したとおりに構成されているので、ケーシング１３に一端を固定してある細いワイヤー１１を、例えば所望の物体の開口等に挿入して、そのワイヤー１１の自由端をケーシング１３のワイヤーの挿入口２６を介してロック機構１２に挿入すれば、このワイヤーロック装置１０をその物体に結びつけて離脱することができないように施錠することができる。
【００２３】
次いで、ワイヤーロック装置１０のワイヤー１１で結びつけて施錠した前記物体から、ワイヤーロック装置１０を外すためには、キー装置１４のピン３５と３６とをケーシング１３のカギ孔３７ａ、３７ｂに挿入すれば、容易にロック機構１２に固定されていたワイヤー１１をロック機構１２から自由に移動することができるようになり、ワイヤーロック装置１０から容易に取り外すことができる。
【００２４】
なお、前記カギ孔３７ａ、３７ｂのいずれか一方に、ピン等を挿入してもロック機構１２を開錠することはできない。
【００２５】
なお、この発明においては、すべての実施態様を通じて、ワイヤーは特に金属製のワイヤーに限らず、これに代替えする部材、例えばてぐす糸、あるいはピンを用いることもできる。
【００２６】
【第二の実施態様】
この発明の第二の実施態様を図について説明する。図７に示すように、第二の実施態様のワイヤーロック装置５０はロック機構１２の円筒体１８及びヘッド２０を収容するケーシング５１に細長いワイヤー１１の固定部材１６が取り付けてあって、この装置５０と協働して使用するキー装置５２（図８）は、その台座５３から伸長する３本のピン５４ａ、５４ｂ、５４ｃを有する。
【００２７】
ワイヤーロック装置５０はケーシング５１を構成する第一の蓋体５５（図９）と第二の蓋体５６（図７）と、これら両蓋体５５および５６によって閉塞され、キー装置５２のピン５４ａ、５４ｂ、５４ｃを挿入することによって、ロック機構１２の円筒体１８からヘッド２０を外方に移動する駆動機構を形成するために、板体を切り抜いて、後述する脚部等を形成する枠部材５７（図１０）と、キー装置５２のピン５４ａ、５４ｂ、５４ｃを用いることがなければ枠部材の駆動機構を作動することができないように固定させる複数のカム部分を有するカム板体５８（図１１）とから成っている。なお、ケーシング５１を構成する各部材は合成樹脂製とする。
【００２８】
ケーシング５１にはワイヤー１１の一端に取り付けた固定部材１６を装着する凹所が形成してあり、ワイヤー１１は固定部材１６からケーシング５１の壁部を構成する枠部材５７の上壁５９に形成した第一の開口６０を経て外部に伸長し、同じく上壁５９に形成した第二の開口６１にワイヤー１１の他端を挿入して、内部に収容されているロック機構１２の円筒体１８とヘッド２０とに挿入することができ、ロック機構１２のヘッド２０を貫通するワイヤー１１は枠部材５７の第三の開口６２を経て下方に伸長することができる。
【００２９】
ケーシング５１の内面を構成する第一の蓋体５５の内面には、図９に示すように、第一、第二および第三の位置決め突子６３、６４、６５が設けてあって、枠部材５７の内部板体の該当部位に、これら突子６３，６４，６５が嵌合する第一、第二および第三の位置決め孔６６，６７，６８が設けてある。
【００３０】
枠部材５７の上壁５９を含む周壁の部分以外は、厚みを薄くした板体にしてあって、第一の脚部７０、第二の脚部７１および第三の脚部７２を形成するように切り抜いてある（図１０）。
【００３１】
第一の脚部７０は、枠部材５７の側壁７３に対して平行に伸長する細長い部分であって、細い逆Ｕ字状に形成した可撓性の接続部７４によって側壁７３と一体にしてある。また、第一の脚部７０の上端は逆Ｕ字状に形成した切り込み７５の部位から直角方向に伸長する腕部７６にしてあり、腕部７６の中央部には両面において突出する短軸７７が形成してあって、その第一の蓋体５５側の軸端は、第一の蓋体５５の内面の該当位置に設けた軸受け孔７８に嵌合し、他方の軸端はカム板体５８の該当部位に設けた軸受け孔７９に嵌合する。
【００３２】
第一の脚部７０の上端から直角方向に伸長する腕部７６の先端は、細い逆Ｕ字状の接続部８０によって保持板８１に連結してあり、またこの腕部７６の先端はケーシング５１内に取り付けたロック機構１２の中空の円筒体１８とヘッド２０との間に挿入される突出部８２を有する。
【００３３】
保持板８１は腕部７６の接続部８０から内方に突出し、可撓性の細い接続部８３によって枠部材５７の他方の側壁に接続してある。
【００３４】
保持板８１は、これと一体にＴ字形をなして下方に伸長する垂直部８４を有し、この垂直部８４の上部は逆Ｕ字形状の接続部８５によって第二の脚部７１の頂部に接続され、垂直部８４の下端は細い半リング状の接続部８６によって第三の脚部７２の側面に接続している。
【００３５】
枠部材５７の下辺の側壁８７には、第一、第二および第三の脚部７０，７１，７２のそれぞれの直下に、キー装置５２のピン５４ａ、５４ｂ、５４ｃを挿入する開口８８，８９，９０が形成してある。
【００３６】
図１０に示すように、第二の脚部７１は、第一の脚部７０に隣接する側の上部が傾斜面９１にしてあって、第一の脚部７０の垂直方向に伸長する隣接側面と、第一の脚部７０の上部の直角方向に伸長する腕部７６の下辺と、保持板８１の周辺とで囲繞される第一の空所９３を形成している。
【００３７】
第三の脚部７２は、図１０に示すように短く、その上部が傾斜面９４にしてあって、第二の脚部７１の隣接する側面と、逆Ｕ字状の接続部８５と、隣接する保持板８１の垂直部８４の側面とで囲繞される第二の空所９５を形成している。
【００３８】
図１１に示すカム板体５８は枠部材５７の上面に載置される。カム板体５７には、前述したように、枠部材５７の第一の脚部７０の上端から横方向に伸長する腕部７６の短軸７７と嵌合する軸受け孔７９が形成してある。
【００３９】
カム板体５８には枠部材５７の第一の空所９３において、第二の脚部７１の傾斜面９１と接触するように裏面に突出する突出傾斜部９７が形成してある。
【００４０】
突出傾斜部９７はカム板体５８に接続部９８で連結してあって、この傾斜部９８は第二の脚部７１の第一の傾斜面９１に接触する。
【００４１】
傾斜部９８の頂部から上方に伸びて保持板８１の垂直側面と接触する伸長部９９が形成してあり、伸長部９９の下端には直角方向に伸びて保持板８１の下辺と接触する突子１００が形成してある。
【００４２】
また、カム板体５８に接続部１０１で連結され、枠部材５７の第二の空所９５内において、第三の脚部７２の傾斜面９４に接触するように裏面に突出する傾斜部１０２を形成し、さらにこの傾斜部１０２から垂直上方に伸びて、隣接する保持板８１の垂直部８４の側面と接触する伸長部１０３が形成してあり、この伸長部１０３の下端には垂直部８４の下面と接触するようにした突子１０４が設けてある。
【００４３】
【第二の実施態様の作用と効果】
この発明の第二の実施態様のワイヤロック装置５０は、以上に詳しく述べた通りに構成してあるので、第一の実施態様と同様に、ケーシング５１に一端を固定した細いワイヤー１１を、所望の物体の開口等に挿入して、ケーシング５１の第一の開口６０を経てケーシング５１内に収容してある円筒体１８とヘッド２０とから成るロック機構１２に通せば、このワイヤー１１は、図７における矢印Ｕの方向には移動することができるが、これと反対の方向にロック機構１２から抜くことはできない。
【００４４】
ワイヤー１１をロック機構１２から抜き取るためには、キー装置５２のピン５４ａ，５４ｂ，５４ｃをケーシング５１の下辺の開口８８，８９，９０に同時に挿入して押し込む。
【００４５】
すると、ピン５４ａの先端が第三の脚部７２を上方に押し上げて、その傾斜面９４がカム板体５８の傾斜部１０２と接触して、カム板体５８の傾斜部１０２を、図１１の矢印Ｒ１の方向に移動する。それによって、保持板８１の垂直部８４の下面と接触していた突子１０４が、その下面から離脱する。
【００４６】
また、挿入されたキー装置５２のピン５４ｂの先端が第二の脚部７１を押し上げると、第二の脚部７１の傾斜面９１に接触するカム板体５８の突出傾斜部９７が、図１１の矢印Ｒ２の方向に移動して、保持板８１の下辺を支持していた突子１００が、保持板８１から離脱する。
【００４７】
これによって、保持板８１は可撓性の細い接続部８３を介して枠部材５７に対して自由に移動することができる状態になる。
【００４８】
そこで、キー装置５２のピン５４ａが第一の脚部７０を押し上げ、細い逆Ｕ字形の接触部７４によって枠部材５７に支承されている第一の脚部７０は上方へと移動し、第一の脚部７０の上端から直角方向に伸長する腕部７６を短軸７７を中心として、図１０に示す矢印Ｒ３の方向に回動する。
【００４９】
したがって、ロック機構１２の円筒体１８とヘッド２０との間に挿入されている腕部７６の先端の突出部８２が移動して、円筒体１８とヘッド２０との間隔を広げて、ロック装置１２に固定されていたワイヤー１１を自由に移動することができるようにし、ロック機構１２からワイヤー１１を抜き取ることができる。
【００５０】
【第三の実施態様】
この発明の第三の実施態様を図について説明する。図１２に示すように、第三の実施態様のワイヤーロック装置１１０は細長いワイヤー１１の一端の固定部材１６の取付部１１１を具備し、ワイヤー１１の他端を挿入してこれを把持し、施錠する中空の円筒体１８とヘッド２０とから成るロック機構１２と、後述するキー装置１１２によって作動されるロック機構１２の駆動機構とを収容するための空所を有するケーシング１１３から成っている。
【００５１】
ケーシング１１３は第一の蓋体１１４（図１２）と第二の蓋体１１５（図１３）とから構成され、ロック機構１２およびそのヘッド２０をキー装置１１２によって作動する駆動機構を収容後に、両蓋体１１４，１１５を接着して開放することができないように密封するものである。
【００５２】
ロック機構１２のヘッド２０をキー装置１１２によって作動する駆動機構は、第一のスライド部材１１６と第二のスライド部材１１７とから成る。
【００５３】
第一のスライド部材１１６は、図１５に示すように、Ｕ字状の部材で、ロック機構１２のヘッド部２０を両側から取り囲み円筒体１８とヘッド２０との間に挿入される上部突子１１８を具備し、下辺１２１にはロック機構１２の円筒体１８とヘッド２０に挿入されたワイヤー１１を通過させる溝１２０が形成してある。
【００５４】
第二のスライド部材１１７は、図１５に示すようようなブロック部材であって、コイルバネ１２１でケーシング１１３の内部から外方に向けての偏移されるようにしてある。
【００５５】
この第二のスライド部材１１７には第一のスライド部材１１６の下辺１１９を支承する凸部１２２が形成してある。この凸部１２２は第一のスライド部材１１６の溝１２０の横幅よりも幾分狭く構成してあり、第二のスライド部材１１７をコイルバネ１２１の力に抗して横方向に移動すると、凸部１２２が第一のスライド部材１１６の下辺１１９の溝１２０と整列し、第一のスライド部材１１６を下方に押し下げることができるようになり、これを押し下げると、第一のスライド部材１１６の下辺１１９の溝１２０がこの凸部１２２を受け入れる。
【００５６】
なお、第二のスライド部材１１７には、ワイヤー１１を通す孔１２３が設けてあり、ロック機構１２に挿入され、第一のスライド部材１１６の溝１２０を通過するワイヤー１１は、第二のスライド部材１１７の孔１２３を経て、ケーシング１１３のワイヤー出口１２４から外方に伸長することができる。
【００５７】
駆動機構を構成する第一と第二のスライド部材１１６，１１７とコイルバネ１２１とは、キー装置１１２によって作動されるものである。
【００５８】
キー装置１１２は第二のスライド部材１１７をケーシング１１３の側面からコイルバネ１２１の方向に押圧する第一のピン１２５を有する第一の台座１２６と、第一のスライド部材１１６を下方に移動させる第二のピン１２７を有する第二の台座１２８とから成る。
【００５９】
第一のピン１２５をケーシング１１３の側面から挿入するために、ケーシング１１３の該当する側面には第一のピン１２５を挿入する第一のキー孔１２９が形成してある。
【００６０】
また、第二のピン１２７は、第二のスライド部材１１７がキー装置１１２の第一のピン１２５によって横方向に移動して、第一のスライド部材１１６の下辺１１９の溝１２０と第二のスライド部材１１７の凸部１２２とが整列した状態において、第一のスライド部材１１６を押し下げて、突子１１８によってロック機構１２のヘッド２０を円筒体１８より引き離すために第二のピン１２７には、これをケーシング１１３の表面から挿入して押し進めることによって第一のスライド部材１１６を下方に移動するために、ピン１２７の先端から台座１２８に向けて幅が広くなるカム面１３０にしてあり、ケーシング１１３の第二の蓋体１１７には第二のピン１２７を挿入する第二のキー孔１３１が形成してある。
【００６１】
【第三の実施態様の作用と効果】
この発明の第三の実施態様のワイヤロック装置１１０は、以上に詳しく述べた通りに構成してあるので、第一および第二の実施態様と同様に、ケーシング１１３に一端を固定した細いワイヤー１１を、所望の物体の開口等に挿入して、ケーシング１１３内に収容してある円筒体１８とヘッド２０とから成るロック機構１２に通せば、このワイヤー１１は、図１２に示す矢印Ｌの方向には移動することができるが、これと反対の方向にロック機構１２から抜くことはできない。
【００６２】
ワイヤー１１をロック機構１２から抜き取るためには、キー装置の第一ピン１２５をケーシング１１３のキー孔１２９に挿入して押し込む。
【００６３】
すると、第二のスライド部材１１７がコイルバネ１２１の力に抗して移動し、その凸部１２２が第一のスライド部材１１６の下辺１１９の溝１２０と整列して第一のスライド部材１１６が移動可能になり、キー装置の第二ピン１２７をキー孔１３１に挿入することにより、第一のスライド部材１１６が移動して、突子１１８によってロック機構１２のヘッド２０を矢印Ｌの方向に移動する。それによって、ロック装置１２に固定されていたワイヤー１１を自由に移動することができるようにし、ロック機構１２からワイヤー１１を抜き取ることができる。
【図面の簡単な説明】
【図１】  この発明のワイヤーロック装置の第一の実施態様の内部を示すために、ケーシングの第二の蓋体の一部を切り欠いた立面図である。
【図２】  第一の実施態様に使用するキー装置を示す正面図である。
【図３】この発明のワイヤーロック装置のロック機構を説明する断面図である。
【図４】第一の実施態様のケーシングの第二の蓋体の外面を示す立面図である。
【図５】第一の実施態様の駆動部材とロック機構との関係を説明する側面図である。
【図６】図５に示す駆動部材の拡大斜視図である。
【図７】この発明のワイヤーロック装置の第二の実施態様の立面図で、ケーシングを構成する第二の蓋体の一部を切り欠いてロック機構と駆動機構との関連が示してある。
【図８】第二の実施態様に使用するキー装置を示す正面図である。
【図９】第二の実施態様のケーシングの第一の蓋体の内面を示す立面図である。
【図１０】第二の実施態様の枠部材を示す立面図である。
【図１１】第二の実施態様のカム板体を示す立面図である。
【図１２】この発明のワイヤーロック装置の第三の実施態様の内部を示すために、ケーシングの第二の蓋体を除いて示す立面図である。
【図１３】第三の実施態様のケーシングの第二の蓋体の内面を示す立面図である。
【図１４】第三の実施態様のキー装置を説明する略図である。
【図１５】第一と第二のスライド部材から成る駆動機構を示す拡大立面図である。
【符号の説明】
１０    第一の実施態様のワイヤーロック装置
１１    ワイヤー
１２    ロック機構
１３    ケーシング
１３ａ  第一の蓋体
１３ｂ  第二の蓋体
１４    キー装置
１５    周壁
１６    ワイヤーの固定部材
１７    開口
１８    円筒体
１９    軸
２０    ヘッド
２２    テーパー壁
２３    突出部
２４    コイルバネ
２５    ボール
２６    ワイヤーの挿入口
２８    駆動部材
２９    ベース部
３０    第一の突起部
３１    第二の突起部
３２    カム面
３３    脚部
３４    台座
３５    長いピン
３６    短いピン
３７ａ  第一のカギ孔
３７ｂ  第二のカギ孔
３８    ガイド板
５０    第二の実施態様のワイヤーロック装置
５１    ケーシング
５２    キー装置
５３    台座
５４ａ、５４ｂ、５４ｃ    ピン
５５    第一の蓋体
５６    第二の蓋体
５７    枠部材
５８    カム板体
７０    第一の脚部
７１    第二の脚部
７２    第三の脚部
７４    可撓性の接続部
７５    逆Ｕ字形の切り込み
７６    腕部
７７    短軸
７８、７９、９６    軸受け孔
８０、８３、８５、９８、１０１    接続部
８１    保持板
８２    突出部
８４    保持板の垂直部
８８、８９、９０    ピンの挿入口
９１、９４    傾斜面
９３、９５    空所
９７    突出傾斜部
１００、１０４  突子
１０２    傾斜部
１１０    第三の実施態様のワイヤーロック装置
１１１    ワイヤー取付部
１１２    キー装置
１１３    ケーシング
１１４    第一の蓋体
１１５    第二の蓋体
１１６    第一のスライド部材
１１７    第二のスライド部材
１１８    突子
１１９    第一のスライド部材の下辺
１２０    溝
１２１    コイルバネ
１２２    凸部
１２４    ワイヤー出口
１２５    キー装置の第一のピン
１２６、１２８    台座
１２７    キー装置の第二のピン
１２９、１３１    キー孔
１３０    カム面
【図１】
0003861227.tif 000002
【図２】
0003861227.tif 000003
【図３】
0003861227.tif 000004
【図４】
0003861227.tif 000005
【図５】
0003861227.tif 000006
【図６】
0003861227.tif 000007
【図７】
0003861227.tif 000008
【図８】
0003861227.tif 000009
【図９】
0003861227.tif 000010
【図１０】
0003861227.tif 000011
【図１１】
0003861227.tif 000012
【図１２】
0003861227.tif 000013
【図１３】
0003861227.tif 000014
【図１４】
0003861227.tif 000015
【図１５】
0003861227.tif 000016